(57)【要約】【課題】  職場等において加熱されたコーヒー等が手軽に得られる飲料加熱供給装置を提供する。【解決手段】  装着される貯蔵ボトル４０内の飲料を導入可能とする貯蔵ボトル４０の装着部３２と、装着部３２からの飲料を貯留する貯留部１６と、貯留部１６内の飲料を加熱する電磁加熱部１８と、貯留部１６内で加熱された飲料の注出部２２、２４とを備えてなり、短時間で加熱できることで飲料の風味が損なわれず、コーヒー等の美味しい加熱飲料がすぐに手に入り、飲むことができるとともに、その構成がシンプルで全体形状もコンパクトであって安価に制作でき、また、コンパクトであることで職場等に納まりよく設置できるコーヒーサーバー等の飲料加熱供給装置。【選択図】図１
2015054182.tif 000002
【特許請求の範囲】
【請求項１】
装着される貯蔵ボトル内の飲料を導入可能とする前記貯蔵ボトルの装着部と、
前記装着部からの飲料を貯留する貯留部と、
前記貯留部内の前記飲料を加熱する電磁加熱部と、
前記貯留部内で加熱された前記飲料の注出部と、
を備えてなることを特徴とする飲料加熱供給装置。
【請求項２】
装着された前記貯蔵ボトルの周面を囲うように配置されるカバー材を備える請求項１記載の飲料加熱供給装置。
【請求項３】
前記カバー材が着脱可能に設けられる請求項２記載の飲料加熱供給装置。
【請求項４】
前記貯蔵ボトル及び前記カバー材を支持する支持部材を備える請求項２または３記載の飲料加熱供給装置。
【請求項５】
前記カバー材が取り換え可能で、使用される前記貯蔵ボトルの大きさに対応して異なる大きさのものが使用される請求項２または３記載の飲料加熱供給装置。
【請求項６】
請求項１〜５記載のコーヒーサーバー。
【発明の詳細な説明】
【技術分野】
【０００１】
この発明は、コーヒーサーバー等の飲料加熱供給装置に関する。
【背景技術】
【０００２】
職場等において暖かいコーヒーを飲みたい場合には、厨房において湯を沸かしインスタントコーヒー等を使用して淹れることとなるが、それには手間がかかる。一方、内部に加熱機構を持ち、コーヒー豆粉、インスタントコーヒーを使用して自動的にコーヒーを注出供給するコーヒーサーバーが提供されており、このコーヒーサーバーは他の飲料も注出供給できるようになっており、遊技場等に設置使用されて一般には有料で使用されている。このコーヒーサーバーは構成が複雑であるとともに大形で、制作コストが高価であり、職場等への設置には向かない。
【発明の概要】
【発明が解決しようとする課題】
【０００３】
この発明は上記の事情に鑑みて行ったもので、職場等において加熱されたコーヒー等が手軽に得られる飲料加熱供給装置を提供することを目的とする。
【課題を解決するための手段】
【０００４】
この発明では、装着される貯蔵ボトル内の飲料を導入可能とする前記貯蔵ボトルの装着部と、前記装着部からの飲料を貯留する貯留部と、前記貯留部内の前記飲料を加熱する電磁加熱部と、前記貯留部内で加熱された前記飲料の注出部と、を備えてなることを特徴とする飲料加熱供給装置を提供する。
【０００５】
上記飲料加熱供給装置によれば、貯蔵ボトル内の飲料が装着部を介して貯留部内に導入されて貯留され、電磁加熱部により３０秒程度の短時間で加熱されて注出部から注出供給される。短時間で加熱されることで飲料の風味が損なわれず、コーヒー等の美味しい加熱飲料がすぐに手に入り、飲むことが可能となる。貯蔵ボトル内の飲料を電磁加熱部で加熱する構成であるので、その構成がシンプルで全体形状もコンパクトであって安価に制作でき、また、コンパクトであることで職場等に納まりよく設置できる。
【０００６】
上記飲料加熱供給装置は、貯蔵ボトルの周面を囲うように配置されるカバー部材を備えた構成とすることで、貯蔵ボトルが覆われて見栄えがよくなり、また、貯蔵ボトルの倒れが防止される。とくに、カバー材が着脱可能に設けられる構成とされることで、カバー材を取り外した状態で容易に貯蔵ボトルを装着することができる。
【０００７】
また、貯蔵ボトル及びカバー部材を支持する支持部材を備える構成とすることで、貯蔵ボトル及びカバー材が安定支持される。
【０００８】
カバー材が取り換え可能で、使用される貯蔵ボトルの大きさに対応して異なる大きさのものが使用されることで、取り換え使用される貯蔵ボトルが覆われて見栄えがよくなり、また、貯蔵ボトルの倒れが防止される。
【０００９】
上記飲料加熱供給装置は、コーヒーサーバーとして好適に用いられ、また、各種飲料を加熱するように用いられ、湯沸かし器としても用いられる。
【発明の効果】
【００１０】
この発明によれば、職場等において加熱されたコーヒー等が手軽に得られる飲料加熱供給装置が提供される。
【図面の簡単な説明】
【００１１】
【図１】この発明の飲料加熱供給装置であるコーヒーサーバーの断面構成図
【図２】この発明の飲料加熱供給装置であるコーヒーサーバーの組み立て構成図
【図３】この発明の飲料加熱供給装置であるコーヒーサーバーの操作部の構成図
【図４】この発明の飲料加熱供給装置であるコーヒーサーバーの加熱注出機構の組み立て構成図
【図５】この発明の飲料加熱供給装置であるコーヒーサーバーの制御回路構成図
【図６】この発明の飲料加熱供給装置であるコーヒーサーバーの動作を示すフローチャート
【発明を実施するための形態】
【００１２】
図１はこの発明の飲料加熱供給装置であるコーヒーサーバーの断面構成図、図２は同組み立て構成図である。コーヒーサーバー１において、２はベース部であり、その後部に支持柱３が立設固定されている。ベース部１の上面の前部側には、図３に示す操作部４が設けられ、その奥方が注出されるコーヒーを受けるカップの載置部６となっている。
【００１３】
上記操作部４には、一方側から他方側にかけて、２個のスタートキー１０１、一対の温度調整操作キー１００、設定温度表示部１０２、３個の注出量キー１０４、注出報知ランプ１０６、注出キー１０７のそれぞれが設けられている。
【００１４】
支持柱２の上部前面に加熱注出部１０が取り付けられている。加熱注出部１０は上方が開放する円筒状の凹部１２を備え、その凹部１２内に、図４に示す加熱注出機構１１が配置されている。１６は上方が開放した円筒状の加熱容器（貯留部）であり、スペーサー１４を介して凹部１２内に装着され、スペーサー１４の外周には加熱容器１６の外周面に相対する位置に電磁コイル１８が巻回装着されている。加熱容器１６の下部の開口１９には弾力リング２３が装着され、その弾力リング２３が電磁弁２０の導入開口縁に圧接する状態で加熱容器１６と電磁弁２０とが連結され、電磁弁２０からは注出用パイプ２２延設され、その端部には注ぎ口２４が取り付けられている。上記注出用パイプ２と注ぎ口２４とが注出部を構成する。１５は温度センサである。
【００１５】
２６は加熱容器１６の蓋であり、その中心から飲料導入用パイプ２８が下方に突出して取り付けられ、その飲料導入用パイプ２８の上端には電磁弁３０が連結されている。蓋２６の中央には上方に開放する円形開口（装着部）３２が設けられ、その円形開口３２内の奥部に電磁弁３０は位置している。３４は上方にロート状に開くアタッチメント（支持部材）であり、その下部の嵌合取り付け筒部３６が円形開口３２に嵌合されることで蓋２６に一体に取り付けられている。４１、４３は角筒形状のカバーであり、その下縁が加熱注出部１０の上縁に外嵌されるとともに、その内面の４点が上記アタッチメント３４の上部周縁で支持されて装着されている。角筒形状のカバー４１、４３は選択的に使用される。上記カバー４１、４３が加熱注出部１０の上縁に外嵌固定されることで蓋２６は下方に押圧され、この蓋２６に加熱容器１６の上部が下方に押圧されることで、それに一体の弾力リング２３が電磁弁２０の導入開口縁に圧接する。
【００１６】
コーヒーサーバー１の使用に際しては、図１に示すように、コーヒーが貯留された２０００ｍｌ用のコーヒーボトル（貯蔵ボトル）４０が加熱注出部１０上に逆さ状態とされて装着される。その装着時にはカバー部材４１は装着されていない。コーヒーボトル４０は未使用状態においてはその注入開口がシールで封止されており、その注入筒部４４がアタッチメント３４の嵌合取り付け筒部３６内に螺合により嵌合されて逆さ状態に立設されることでそのシールが電磁弁３０の導入側に取り付けられた尖鋭パイプ３１により破られ、これによりコーヒーボトル４０内のコーヒーが電磁弁３０側に流入するようになっている。カバー部材４１はコーヒーボトル４０が取り付けられた後に上方から装着され、カバー部材４１によりアタッチメント３４とコーヒーボトル４０の下部が覆われて見栄えがよくなるとともに、コーヒーボトル４０の倒れが防止される。また、コーヒーボトル４０はアタッチメント３４上部内周縁で支持されて安定する。
【００１７】
図１において、点線で示すように５００ｍｌ用のコーヒーボトル４２が使用された場合には、カバー部材４３が使用される。カバー部材４１によってもアタッチメント３４とコーヒーボトル４２の下部が覆われて見栄えがよくなり、また、コーヒーボトル４２の倒れが防止される。その際においても、カバー部材４１の内面の４点がアタッチメント３４の上部周縁で支持されるとともにコーヒーボトル４２がアタッチメント３４上部内周縁で支持されて安定する。
【００１８】
図５はコーヒーサーバー１における制御回路構成を示す。１００はベース部２内において回路基板により構成される制御部であり、制御部１００に上記した電磁コイル１８、電磁弁２０、３０のそれぞれ、温度センサ１５、操作部４における温度調整キー１０１、スタートキー１０２、設定温度表示部１０３、注出量キー１０４、注出報知ランプ１０６、注出キー１０７のそれぞれが接続され、さらに、冷却ファン１０８と注出報知ブザー１０９とが接続されて構成されている。冷却ファン１０８と注出報知ブザー１０９とはベース部２内に設けられ、冷却ファン１０８は制御部１００を構成する回路基板を冷却する。
【００１９】
以下、コーヒーサーバー１によるコーヒーの加熱注出動作についてフローチャートを参照して説明する。操作に先立って、載置部６上に紙コップ２００を配置しておく。操作部４において、例えば、「８０  コーヒー」と書かれたスタートキー１０１と「Ｍ」の注出量キー１０４を押すと、電磁弁３０が所定時間作動してコーヒーボトル４０内のコーヒーが１５０ｍｌ加熱容器２６内に導入され、電磁コイル１８が作動されることで加熱される（Ｓ１〜Ｓ５）。上記のように「８０  コーヒー」と書かれたスタートキー１０１が押されると加熱温度が８０℃と設定されるが、「６５  お茶」のスタートキー１０２が押されることで加熱温度が６５℃と設定され、そのスタートキー１０１の操作後にさらに温度調整操作キー１００が適宜押されることで設定温度が所望の温度に設定され、その設定温度が設定温度表示部１０２に表示される。また、それぞれの注出量キー１０４によって注出量が設定される。そして、その設定注出量に対応する時間電磁弁３０が開かれて加熱容器２６内に設定量のコーヒーが導入され、電磁コイル１８が作動されて加熱される。
【００２０】
次に温度センサ１５からの温度信号が設定温度に対応する温度となると、注出報知ランプ１０６が点灯するとともにブザー１０９が鳴り、これにより注出キー１０７が押されることで電磁弁２０が開放してコーヒーが注ぎ口２４から注出される（Ｓ６〜Ｓ９）。
【００２１】
コーヒーサーバー１はコーヒーボトルに代えて飲料水、スープ等の他の飲料を貯留するボトルを使用することでその飲料の加熱注出が短時間で行え、例えば、飲料水ボトルを使用して「６５  お茶」スタートキー１０２を押すことで湯沸かし器として使用でき、茶葉パックを使用するのに好適な温度の湯が短時間に得られる。
【符号の説明】
【００２２】
１      コーヒーサーバー（飲料加熱供給装置）
１６    加熱容器（貯留部）
１８    電磁コイル（電磁加熱部）
２２    注出用パイプ（注出部）
２４    注ぎ口（注出部）
３２    円形開口（装着部）
４０    コーヒーボトル（貯蔵ボトル）
【図１】
2015054182.tif 000003
【図２】
2015054182.tif 000004
【図３】
2015054182.tif 000005
【図４】
2015054182.tif 000006
【図５】
2015054182.tif 000007
【図６】
2015054182.tif 000008